(57)【要約】【課題】点着操作における、液滴を点着用領域に命中させるための困難性を少なくとも解消し、さらには、点着用領域に針先で損傷を与えるといったトラブルや、適量吐出の困難性をも解消することが可能な補助具を提供すること。【解決手段】シリンジＣを、所定の姿勢にて測定装置Ｂに対して固定的に位置させ得る、点着用補助具Ａを提供する。当該点着用補助具Ａは、シリンジＣの針先を下方に向けた姿勢にて該シリンジＣを着脱可能に保持し得るように構成されたシリンジ保持部１を有し、点着用領域Ｂ１を有する測定装置Ｂに固定し得るように構成された固定部３を有し、かつ、該シリンジ保持部１と固定部３とを連結する支柱部２とを有し、シリンジの針先を測定装置Ｂの点着用領域Ｂ１の上方に位置決めし得る構成となっている。【選択図】図１
2015059921.tif 000002
【特許請求の範囲】
【請求項１】
シリンジの針先を下方に向けた姿勢にて該シリンジを着脱可能に保持し得るように構成されたシリンジ保持部を有し、
試料液を滴下するための点着用領域を有する測定装置に固定し得るように構成された固定部を有し、かつ、
該シリンジ保持部と該固定部とを連結する支柱部とを有し、
該シリンジ保持部と該固定部と該支柱部とによって、該シリンジ保持部に保持されたシリンジの針先を前記測定装置の点着用領域の上方に位置決めし得る構成となっている、
点着用補助具。
【請求項２】
上記シリンジ保持部が、シリンジ先端の注射針の針基部分を保持することによって該シリンジを保持し得るように構成されており、
該シリンジ保持部には、該針基部分を保持し得る内径を持った貫通孔が設けられ、かつ、該貫通孔を取り巻く壁部の一部が、該貫通孔の全長にわたって、該注射針の針管が少なくとも通過し得る幅を以て欠落しており、その欠落部分を通じて、該貫通孔の孔内と外界とが連通している、
請求項１記載の点着用補助具。
【請求項３】
上記シリンジ保持部には、上記貫通孔の上端側の開口の周囲に、該針基部分が回転しようとしたときに該針基部分の注射針フランジの回転を止めるように、
（ア）該注射針フランジが嵌り込み、該注射針フランジの回転を止める凹部が設けられているか、または、
（イ）該注射針フランジに当たって回転を止める凸部が設けられている、
請求項１または２記載の点着用補助具。
【請求項４】
上記支柱部が高さを変更し得るように構成されているか、または、
上記シリンジ保持部と上記支柱部との連結位置が変更し得るように構成されており、
前記構成によって、点着部の上面からシリンジの針先までの距離を所定の範囲内に調節し得るようになっている、
請求項１〜３のいずれか１項記載の点着用補助具。
【請求項５】
上記支柱部が、必要に応じた数のブロックを積み上げて高さを変更し得るように構成されており、各ブロック同士が互いに不動にかつ着脱可能に連結されるように、一方のブロックの凸部が他方のブロックの凹部に嵌り込んで順次連結される構成となっている、
請求項１〜３のいずれか１項記載の点着用補助具。
【請求項６】
上記固定部が、上記測定装置の上面の所定の領域の凹凸面に沿って密着し得るように、該凹凸面を反転させた反転凹凸面を有している、
請求項１〜５のいずれか１項記載の点着用補助具。
【発明の詳細な説明】
【技術分野】
【０００１】
本発明は、点着用領域（または、点着部）と呼ばれる微小領域（試料液を受入れる領域）を持った測定装置の該点着用領域に対して、シリンジから試料液を滴下する操作に関連する技術に関するものである。
【背景技術】
【０００２】
血液等の試料液を、「点着用領域」と呼ばれる試料液受入れ用の微小な領域に１滴供給するだけで、ブドウ糖（グルコース）などの含有成分の濃度を種々のセンサーによって測定し得るよう構成された測定装置が知られている。
点着用領域を有する測定装置の一例としては、例えば、意匠登録第１２２２９３１号公報「液体含有成分濃度計」などの濃度測定装置が挙げられる。また、図１１は、本願出願人によって、前記意匠公報に示された濃度測定装置の操作性、機能、外観美等をさらに改善した装置の外観および点着用領域を示す図である。点着用領域を有する測定装置については、例えば、特許文献１〜４などにも詳細に説明されている。
【０００３】
上記のような点着用領域を有する測定装置では、図１１に示すように、通常、装置のボディ（筐体）の上面に筐体開口部が設けられ、該筐体開口部内の中央に試料液を受け入れるための点着用領域が位置している。
点着用領域は、通常、直径３ｍｍ〜５ｍｍ程度の微小な円形の領域であり、図１１の装置では、口径４ｍｍである。採取した血液を該点着用領域に１滴（通常、５〜２０μＬ（マイクロリットル）程度）滴下し、測定開始スイッチを入れると、該血液中の目的の含有成分の濃度が、装置内部の電極式センサー（酵素電極法に基いたセンサー。酵素電極などとも呼ばれる）によって測定される。
点着用領域は、使用者が血液等の試料液を滴下するための目標領域であり、該測定装置にとっては試料液の受入れ口でもある。本発明では、点着用領域に試料液を滴下する操作を、「点着操作」、または、単に「点着」などと呼んでいる。
【０００４】
図１２は、上記のような濃度測定装置の点着用領域に血液が滴下され、電極式センサーによって成分濃度が測定される様子を例示した断面図である。
図１２（ａ）に示すように、濃度測定装置の筐体１００の所定位置には、筐体開口部１１０が設けられている。筐体開口部１１０の直下には、点着用領域が所定の間隔で設けられた帯状のフィルム１２０が配置されており、使用者が外部から筐体開口部内を見ると、該フィルムの主面が見える。該フィルム１２０は、送出しロール（図示せず）から巻取りロール（図示せず）へと間欠的に定量だけ送られ、測定毎に筐体開口部１１０の中央に新しい点着用領域を位置させるように構成されている。該フィルム１２０（送出しロールと巻取りロールを含むフィルム全体）は、交換可能なカートリッジとして設けられている。
該フィルム１２０は、上層の支持体フィルム１２１と、下層の血球分離膜１２２とを有してなる２層構造となっている。血球分離膜１２２は、血漿だけが透過し得る微細な孔を多数有してなる一種のフィルター膜である。
支持体フィルム１２１には、長手方向（送り方向）に所定の間隔を置いて、点着用領域の開口となる口径３ｍｍ〜５ｍｍ程度の貫通孔１３０が設けられており、各貫通孔の底には血球分離膜１２２が露出している。この貫通孔１３０と内部底面の血球分離膜１２２とによって点着用領域が構成され、貫通孔内に血液が滴下されると、血液中の血漿が血球分離膜を透過しフィルム下面へと滲み出すようになっている。
【０００５】
図１２（ａ）に示すように、点着用領域である貫通孔１３０に、シリンジやマイクロピペット２００などから試料の血液Ｘ１０が滴下され、測定開始スイッチが入ると、図１２（ｂ）に示すように、帯状のフィルム１２０は所定量だけ水平に送られて停止する。次いで、貫通孔１３０の下方からは、電極式センサー１４０が上昇し、その頂部面（好ましい態様としては球面状に突起している）が血球分離膜１２２の下面（血漿が滲み出している）に接触し、該電極式センサー１４０の頂部面に血漿が接触することになる。図１２では、説明のために、貫通孔と電極式センサーの大小関係や各層の層厚の比率を無視し、構造を分かりやすく誇張して描いている。
【先行技術文献】
【特許文献】
【０００６】
【特許文献１】特開平４−３４３５４号公報「酵素電極」
【特許文献２】特開平９−１１９９１４号公報「バイオセンサー」
【特許文献３】特開２００６−１２６０４６号公報「電極式センサの洗浄処理方法及び洗浄処理機構並びにその機構を備えた濃度測定装置」
【特許文献４】特開平４−２３０８４０号公報「濃度測定装置」
【発明の概要】
【発明が解決しようとする課題】
【０００７】
上記のように、点着用領域を有する測定装置は、シリンジの針先などから一滴の試料液を受入れるだけで、目的とする成分の濃度を測定することが可能である。
しかしながら、本発明者らが、医療の現場等における実際の点着操作を詳細に検討したところ、次のような問題が存在していることがわかった。
医療の現場等では、シリンジ（注射器）を用いて血液を点着用領域に滴下している。このとき、点着操作を行う作業者には、〔推奨される適量の血液を滴下すること〕と、〔点着用領域を全面的に血液で覆うこと〕が求められる。このような操作は、適正な押圧量と、適正な滴下位置とを、同時に要求される操作であるために容易ではない。
そのため、作業者は、シリンジの針先を点着用領域に十分に接近させてプランジャー（押子）を押圧しようとする傾向がある。しかし、斜め上方から見下ろしながらの操作では、針先と点着用領域との距離を認識し難く、外筒を不動に保持することもできないために、プランジャーを推し進めた時などに、針先で点着用領域を突き破ることがある。また、針先が点着用領域に接触するだけでも、上記血球分離膜（図１２に符号１２２で示す膜）が傷つき、正しい測定結果が得られない可能性が生じる。しかし、そのような点着用領域の損傷を避けるために、針先を点着用領域から適度な距離に維持しながら、適正な押圧量と、液滴の命中とを達成することは容易ではない。
また、血液の部分的な凝固によって、外筒とプランジャーとが部分的に固着し摺動がスムーズでなくなる場合がある。そのような固着に抗して大きな力でプランジャーを押圧すると、突然に固着が破れてプランジャーが移動し、必要以上の血液が針先から噴出するという事態も生じる。そのような噴出を抑制する方法として、本発明者らは、単純にプランジャーをストローク方向に押圧するだけではなく、一方の手で外筒を十分に保持し、他方の手でプランジャーをその中心軸の周りに回転させることで固着を解除しながら、該プランジャーを微量だけストローク方向に押し進めるという操作を提案している。しかし、上記のように容易ではない点着操作に、プランジャーを回転させる操作が加わると、該点着操作はさらに容易ではなくなる。
以上のような問題は、点着操作が必要なあらゆる測定装置に同様に生じる問題である。
【０００８】
本発明の目的は、点着操作における、液滴を点着用領域に命中させるための困難性を少なくとも解消し、さらには、点着用領域に針先で損傷を与えるといったトラブルをも解消し得、適量吐出の困難性をも解消し得る補助具を提供することにある。
【課題を解決するための手段】
【０００９】
本発明は、以下の構成を有するものである。
〔１〕シリンジの針先を下方に向けた姿勢にて該シリンジを着脱可能に保持し得るように構成されたシリンジ保持部を有し、
試料液を滴下するための点着用領域を有する測定装置に固定し得るように構成された固定部を有し、かつ、
該シリンジ保持部と該固定部とを連結する支柱部とを有し、
該シリンジ保持部と該固定部と該支柱部とによって、該シリンジ保持部に保持されたシリンジの針先を前記測定装置の点着用領域の上方に位置決めし得る構成となっている、
点着用補助具。
〔２〕上記シリンジ保持部が、シリンジ先端の注射針の針基部分を保持することによって該シリンジを保持し得るように構成されており、
該シリンジ保持部には、該針基部分を保持し得る内径を持った貫通孔が設けられ、かつ、該貫通孔を取り巻く壁部の一部が、該貫通孔の全長にわたって、該注射針の針管が少なくとも通過し得る幅を以て欠落しており、その欠落部分を通じて、該貫通孔の孔内と外界とが連通している、
上記〔１〕記載の点着用補助具。
〔３〕上記シリンジ保持部には、上記貫通孔の上端側の開口の周囲に、該針基部分が回転しようとしたときに該針基部分の注射針フランジの回転を止めるように、
（ア）該注射針フランジが嵌り込み、該注射針フランジの回転を止める凹部が設けられているか、または、
（イ）該注射針フランジに当たって回転を止める凸部が設けられている、
上記〔１〕または〔２〕記載の点着用補助具。
〔４〕上記支柱部が高さを変更し得るように構成されているか、または、
上記シリンジ保持部と上記支柱部との連結位置が変更し得るように構成されており、
前記構成によって、点着部の上面からシリンジの針先までの距離を所定の範囲内に調節し得るようになっている、
上記〔１〕〜〔３〕のいずれかに記載の点着用補助具。
〔５〕上記支柱部が、必要に応じた数のブロックを積み上げて高さを変更し得るように構成されており、各ブロック同士が互いに不動にかつ着脱可能に連結されるように、一方のブロックの凸部が他方のブロックの凹部に嵌り込んで順次連結される構成となっている、
上記〔１〕〜〔３〕のいずれかに記載の点着用補助具。
〔６〕上記固定部が、上記測定装置の上面の所定の領域の凹凸面に沿って密着し得るように、該凹凸面を反転させた反転凹凸面を有している、
上記〔１〕〜〔５〕のいずれかに記載の点着用補助具。
【発明の効果】
【００１０】
本発明では、図１に示すように、シリンジＣの外筒Ｃ１を手で保持するのではなく、該シリンジＣを、目的とする測定装置Ｂの点着用領域Ｂ１に対して適正な上方の位置に保持し得る点着用補助具Ａを提供している。
当該点着用補助具によって、シリンジの針先が点着用領域の直上で不動に固定されるので、作業者は、試料液の液滴を点着用領域に命中させるための操作から解放される。また、シリンジの針先が点着用領域に接することや、突き破るといったトラブルも無くなる。よって、作業者は、プランジャーを微量だけ推し進める操作だけに集中することができ、点着操作が容易になる。
また、上記したように、本発明者らは、血液の部分的な凝固による外筒とプランジャーとの固着を解消しながら点着操作を行う方法として、プランジャーをその中心軸（図１の軸線Ｘ）の周りに回転させることで固着を解除しながら、該プランジャーを微量だけストローク方向に押し進めるという方法を提案している。このような方法に対して、本発明の好ましい態様では、外筒が回転しないように、シリンジ保持部に回り止めとなる凹部または突起部が設けられている。これによって、本発明者らが推奨する〔プランジャーを回転させることで固着を解除しながら、該プランジャーを微量だけストローク方向に押し進める〕という操作を、針先を適正位置に固定したまま、片手の指先だけで容易に実施することが可能になっている。
また、本発明では、シリンジの針の長さが種々異なっていても、適当な高さに保持し得るように、点着部の上面からシリンジの針先までの距離を調節可能な好ましい構成を提供するなど、各部に種々の創意工夫を施している。それらの作用効果については、下記において、各部の構成を詳細に説明しながら同時に説明する。
【図面の簡単な説明】
【００１１】
【図１】図１は、本発明による点着用補助具の構成を概略的に示した図である。同図では、当該点着用補助具Ａが、シリンジＣを保持した状態で測定装置Ｂに固定され、該シリンジＣの針管Ｃ３の先が点着用領域Ｂ１に対して適正な位置に保持されている状態を示している。同図では支柱部２を太い実線で描いているが、単にＬ字形の部材という意味だけではなく、シリンジ保持部１と固定部３とを連結する種々の構造を意味するものとして描いている。シリンジ保持部１と固定部３についても同様であって、シリンジ保持部１は、シリンジを保持し得る種々の構造を意味し、固定部３は、測定装置に固定し得る種々の構造を意味している。
【図２】図２は、本発明による点着用補助具の好ましい態様を示した斜視図である。同図は、図１と同様、当該点着用補助具Ａが、シリンジＣを保持した状態で測定装置Ｂに固定された状態を示している。図面を簡単にするために、測定装置の表示部分は記載を省略している（図９も同様である）。
【図３】図３は、図２を測定装置Ｂの前面の方向から見た図（正面図）である。
【図４】図４は、本発明による点着用補助具のシリンジ保持部がシリンジ（特に針基部分）を保持する様子を示した斜視図である。
【図５】図５は、本発明による点着用補助具におけるシリンジ保持部のより好ましい態様と、その作用を示した図である。
【図６】図６は、本発明による点着用補助具における支柱部の態様例を示した図である。
【図７】図７は、本発明による点着用補助具における支柱部の好ましい態様例を示した組立て分解図である。
【図８】図８は、本発明による点着用補助具における支柱部の好ましい態様において、該支柱部の高さを変更した場合の例を示した図である。
【図９】図９は、本発明による点着用補助具における固定部の好ましい態様において、該固定部が測定装置から取り外されるときの様子を示した図である。
【図１０】図１０は、本発明による点着用補助具における固定部の好ましい態様において、該固定部の裏面の一例を示した図である。
【図１１】図１１は、点着用領域を持った測定装置の一例を示した図である。
【図１２】図１２は、点着用領域を持った測定装置に対して点着操作を行い、試料液が分析される様子を模式的に示した断面図である。
【発明を実施するための形態】
【００１２】
以下、本発明を実施例に沿って詳細に説明する。
図１に構成例を示すように、本願発明の点着用補助具Ａは、シリンジ保持部１と、固定部３と、これらを連結する支柱部２とを有して構成される。シリンジ保持部１は、シリンジＣの針先（針管Ｃ３の先端）を下方に向けた姿勢にて、該シリンジＣを着脱可能に保持し得るように構成されている。固定部３は、試料液を滴下するための点着用領域Ｂ１を有する測定装置Ｂに固定し得るように構成されている。支柱部２は、シリンジ保持部１と固定部３とを連結するものである。これらシリンジ保持部１と固定部３と支柱部２とによって、シリンジ保持部１に保持されたシリンジＣの針先が測定装置Ｂの点着用領域Ｂ１の上方に位置決めされ得る構成となっている。
この構成によって、上記効果の説明で述べたとおり、点着操作を行う作業者は、液滴を点着用領域に命中させる操作から解放され、また、シリンジの針先が点着用領域に接することや突き破るといったトラブルも無くなるので、プランジャーを微量だけ推し進める操作だけに集中することができる。
【００１３】
シリンジ保持部は、シリンジの針先を下方に向けた姿勢にて該シリンジを着脱可能に保持し得るように構成されていればよい。
シリンジの針先を下方に向けた姿勢とは、図１において、シリンジＣの針管Ｃ３の先端部が針基部分Ｃ４よりも下方に位置する姿勢であればよい。即ち、シリンジの中心軸Ｘは、必ずしも鉛直線と一致する必要はなく、好ましい滴下を達成し得る範囲において、斜めに傾いていてもよい。図１に示すように、シリンジの中心軸Ｘと鉛直線とを一致させ、かつ、該中心軸Ｘが点着用領域の中心を通過するように位置決めすれば、吐出方向の延長線上に点着用領域の中心がほぼ一致し、試料液をより正確に点着用領域に落下させることができるので好ましい。
シリンジの針先から測定装置の点着用領域の上面までの距離ｈ１は、シリンジの着脱時に針先が点着用領域や測定装置の筐体表面に接しないような適当な至近距離であればよく、例えば、３ｍｍ〜１０ｍｍ程度が好ましい距離である。図１において、測定装置が図１１に示すような装置である場合、点着用領域Ｂ１が筐体開口部Ｂ２の直下に位置しているので、シリンジの針先から測定装置の筐体表面までの距離ｈ２は０．５ｍｍ〜６ｍｍ程度となる。この距離ｈ２の値は、あくまでも参考例であって、測定装置の構造によって距離ｈ２の値は変動する。
【００１４】
シリンジ保持部がシリンジのどの部分を保持するかは、特に限定はされず、プランジャーが外筒に対して可動であるような状態にて、全体が不動に固定されればよい。保持される部分は、外筒Ｃ１、針基部分（単に「針基」とも呼ばれる）Ｃ４、または、針管Ｃ３が好ましい。外筒Ｃ１や針管Ｃ３は、種類によって太さや長さが大きく異なるが、外筒の種類が変わっても、外筒先端に突起する「筒先」（針基部分Ｃ４が装着される管状部分）は、その外径寸法やテーパの仕様がＪＩＳ  Ｔ３２１０等に規定されている。よって、該筒先に装着される針基部分Ｃ４をシリンジ保持部によって保持する構成とする方が、１種類の寸法のシリンジ保持部で、多種類の外筒Ｃ１や針管Ｃ３に対応できるので好ましい。
【００１５】
上記シリンジ保持部がシリンジを着脱可能に保持するための構成は、特に限定はされず、例えば、開閉可能なクリップによってシリンジの目的部分を挟み込んで保持する態様、規準となるブロックに対してゴム製のベルトやネジで押し付けて固定する態様、クランプ装置の態様、チャック装置の態様など、公知の着脱可能な保持装置の構成を採用してもよい。
図２〜図５に例示する本発明の実施態様は、簡単な構造で、注射針の針基部分を着脱可能に、かつ、正確に保持し得る好ましい態様である。図４（ａ）、図５（ａ）に明確に表れているように、シリンジ保持部１には、針基部分を保持し得る内径を持った貫通孔１１が設けられている。該貫通孔１１の口径は、針基部分をがたつかせず保持し得るものであればよく、一般的な注射針の針基部分を保持する場合には、５ｍｍ〜８ｍｍ程度が好ましい。また、貫通孔の全長は、３ｍｍ〜２０ｍｍ程度、特に、１０ｍｍ〜１５ｍｍ程度が好ましい。
さらに、これらの図の態様では、貫通孔１１を取り巻く壁部の一部が、該貫通孔の全長にわたって欠落し、欠落部分１２となっている。この欠落部分の幅（図５（ｂ）の寸法Ｗ）は、注射針の針管が少なくとも通過し得る幅となっている。
この欠落部分１２の存在によって、貫通孔１１の孔内と外界とが連通しており、該貫通孔１１の断面形状（該貫通孔を中心軸に垂直に切断したときの断面形状）は、Ｃ字形となっている。このような貫通孔１１に欠落部分１２を設けた簡単な構造によって、シリンジ保持部は、貫通孔だけのシマリ嵌めと比べてより弾性的に注射針の針基部分を締め付けることができ、着脱に大きな力を要することもない。また、欠落部分の無い単なる貫通孔では、注射針の着脱の際に、針先を貫通孔内に入れて通過させなければならないので、該貫通孔の内面や出入口の周囲などに針先の試料液が接触する可能性がある。これに対して、図５のような欠落部分１２を持った貫通孔の構造では、該欠落部分１２を通して針管を貫通孔に挿入することが可能になるので、針先を貫通孔内に入れる必要がなくなり、針先の試料液がシリンジ保持部に接触する可能性が少なくなる。
【００１６】
欠落部分１２の幅Ｗは、特に限定はされず、針管が余裕を以て通過でき、かつ、貫通孔の保持力を阻害しない程度の寸法であればよい。一般的な注射針の針基部分を保持対象とする場合の上記貫通孔の口径に対しては、幅Ｗの値は、２ｍｍ〜４ｍｍ程度が好ましい。
図５（ａ）に示すように、欠落部分１２には、適当な面取り１２ａを設け、針管をより通過させ易くすることが好ましい。
【００１７】
図４、図５は、シリンジ保持部が注射針の針基部分をより好ましく保持するための構成を示している。図５（ｂ）に符号を付して示しているように、シリンジ保持部１の上面には、貫通孔１１の上端側の開口の周囲に、注射針フランジＣ５が嵌り込み、該注射針フランジＣ５の回転を止める凹部（１４ａ、１４ｂ）が設けられている。
注射針フランジとは、針基部分Ｃ４の基端部において側方２方向に張り出した鍔である。凹部（１４ａ、１４ｂ）は、種々の寸法の注射針フランジが嵌り込むように、適度な余裕を以て設けられている。この構成によって、図５（ｃ）に矢印で示すように、シリンジが中心軸Ｘを中心として回転しようとしても、該凹部内に嵌り込んだ注射針フランジＣ５が、凹部の残部である凸部（１３ａ、１３ｂ、１３ｃ）に当たって回転できなくなる。この構成によって、シリンジの外筒も回転できなくなるので、本発明者らが推奨する〔プランジャーを回転させることで固着を解除しながら、該プランジャーを微量だけストローク方向に押し進める〕という操作（図４（ｃ）に矢印で示した回転を行いながらの押圧操作）を片手の指先だけで容易に実施することが可能になり、プランジャーを微量だけ押し進めること（微量の滴下）が容易に達成し得る。
図４、５の例では、貫通孔１１の上端側の開口の周囲に回り止めとして凹部を設けたが、該注射針フランジに当たって回転を止める凸部を設けてもよい。これら凹部、凸部の態様は、実体は同じである。図４、５の凹部を設ける態様であっても、注射針フランジに当たって回転を止めるのは残部の凸部であり、また、凸部を設ける態様であっても、注射針フランジが配置されるのは残部の凹部である。
凹部の深さ（＝凸部の高さ）は、注射針フランジが容易に乗り越えない程度の寸法であればよく、該注射針フランジの一般的な厚さに対しては、０．５ｍｍ〜３ｍｍ程度が好ましい。
また、注射針フランジに許容し得る回転角度（図５（ｃ）に両矢印で示した回転可能な角度）は、特に限定はされず、０度であってもより大きな角度であってもよいが、３０度〜６０度程度であれば、種々のサイズの注射針フランジを余裕をもって受入れながらも、〔プランジャーを回転させることで固着を解除しながら、該プランジャーを微量だけストローク方向に押し進める〕という操作の障害にはならない。
【００１８】
本発明の好ましい態様では、保持すべきシリンジが種々のサイズ（とりわけ、種々の針管長さ）であっても、図１に示すように、点着部の上面からシリンジの針先までの距離ｈ１を、常に好ましい範囲内に調節することが可能になっている。
距離ｈ１を好ましい範囲へと調節するための構成は、特に限定はされず、例えば、図６（ａ）に示すように、支柱部２に対するシリンジ保持部１の連結位置を固定ネジなどによって変更する構成や、支柱部自体が高さを変更し得る構成などが挙げられる。高さや長さを可変に調節する機構として、ネジやシリンダーを用いた従来公知の種々の長さ調節機構を採用してもよい。また、回転を抑制するためには、支柱を角柱としたり、キー溝とキーを利用する構成などを採用してもよい。
【００１９】
本発明では、図１に示す支柱部自体の高さＨを、必要に応じた数のブロックを積み上げて高さを変更する構造を好ましい態様例として推奨する。このようなブロックを必要数だけ積み上げて高さを変更する構造は、各ブロックが同じ形状であるために、各ブロックを安価に作ることができる。また、ブロックを積み上げて高さを変更するという作業が単純かつ簡単であるので、作業者は容易に高さを変更することができる。また、個々のブロックへと分解し固定部から着脱できるので、洗浄することもできる。
各ブロック同士は、例えば公知のブロック玩具のように、互いに不動にかつ着脱可能に連結されるように、一方のブロックの凸部が他方のブロックの凹部に嵌り込んで順次連結される構造を有する。各ブロック同士を互いに回転しないように連結するための態様は、凸部を２か所設ける態様や、凸部を角柱とする態様などであってもよい。
ブロックを複数連結するための態様のなかでも、図２、図３、図６（ｂ）、図７、図８に示すように、水平方向に設けられたＴ溝（溝の底を上側にして、該溝が延びる方向に垂直に切断したときの該溝の断面形状がＴ字状をなす溝）やアリ溝（溝の底を上側にして、該溝が延びる方向に垂直に切断したときの該溝の断面形状が逆台形をなす溝）と、該Ｔ溝に嵌め込まれる断面Ｔ字形の稜線状突起やアリ溝用の稜線状突起（断面逆台形）とを用いてブロックを連結する構造は、シリンジの着脱時に垂直方向に外力が作用しても、各ブロックが互いに離れてしまうことがない。また、これらの連結構造を持ったブロックを樹脂成形で製作する場合、ブロックの外形寸法には、溝が延びる方向（図６（ｂ）の紙面に垂直な方向、即ち、水平方向）に成形時のテーパー（離型のための抜き勾配）がつく。よって、個々のブロックの側壁面が鉛直面となるので、上下に連結されたブロック同士のつなぎ目に顕著な段差が生じることがない。よって、複数のブロックによって形成された側壁面は凹凸の少ない平坦な１つの面となるので、拭き取り掃除などが容易になり好ましい。
【００２０】
図２、図３、図６（ｂ）、図７、図８に示す連結構造では、図６（ｂ）に分かり易く示すように、Ｔ溝（ブロック２１のＱ２１、ブロック２２のＱ２２など）に、断面Ｔ字形の稜線状突起（ブロック２２のＰ２２、固定部３のＰ３など）を長手方向に摺動させて嵌め込んで連結している。アリ溝による連結の場合には、断面台形の溝に、断面台形の稜線状突起が嵌め込まれるが、着脱方向、連結の原理、および、利点は、Ｔ溝の場合と同等である。
尚、図６（ｂ）の例では、好ましい態様として、Ｔ溝の内部底面の中央に該溝に沿った微小溝（Ｑ２１ａなど）が設けられ、それに対応する稜線状突起の上面の中央には、稜線方向に沿った微小な稜線状突起（Ｐ２２ａなど）が設けられている。これらの好ましい付帯構造については後述する。
いずれの連結構造も、溝の開口部の幅よりも、溝の底部の幅の方が広く、それに対応するの稜線状突起も、基部の幅よりも上部の幅の方が広く、よって、稜線状突起は溝の長手方向にしか抜けることがなく、互いに強固にかつ簡単に着脱し得るという特徴がある。
溝や稜線状突起の断面形状は、Ｔ字形や台形、または、これらの形状に類するものであればよい。
【００２１】
図７は、図６（ｂ）に示すブロックの好ましい態様を示した組立て分解図であり、各ブロック２２〜２４、および、固定部３の連結部には、Ｔ溝に沿ったブロック移動を止めるためのストッパー（２２ａ、２３ａ、２４ａ）が設けられている。一方、各ブロック２１〜２４の下部には、前記ストッパーと同一形状の切欠き部（ブロック２１の切欠き部２１ｂ、ブロック２２の切欠き部２２ｂなど）が設けられており、それぞれ下側のブロックのストッパーを受入れるようになっている。
このような下側のブロックのストッパーが上側のブロックの切欠き部に収まる構成によって、図８（ａ）に側面から見た図として示すように、ブロック同士の位置決めが容易になりながらも、ブロックを組み立てた場合に全体として側面に凹凸の無い、単純な角柱となり、拭き取り掃除などが容易になる。
【００２２】
図６（ｂ）に示したＴ溝の内部底面の中央の微小溝（Ｑ２１ａなど）と、それに対応する断面Ｔ字形の稜線状突起（Ｔ突起と略す）の上面の中央の微小な稜線状突起（Ｐ２２ａなど）は、Ｔ突起をＴ溝にはめ込んだときのクリアランス（隙間）を比較的大きく確保しながらも、互いを中心線に沿って位置決めし、かつ、がたつきを無くすための好ましい態様である。
該微小溝の断面形状や、該微小な稜線状突起（微小突起と略す）の断面形状は、特に限定はされないが、図６（ｂ）に示すように、該微小溝の断面形状を三角形（好ましい形状として二等辺直角三角形）とし、微小突起の断面形状を半円形とし、かつ、該三角形内に該半円形が完全に入り込むことができない関係（二等辺直角三角形の二等辺部分の各辺の長さよりも、半円形の半径の方が長い関係）とすれば、Ｖブロックに保持される軸のように、微小突起が微小溝内に安定して中央に受入れられ、かつ、微小突起が弾性的に変形することができる。これにより、クリアランスを持たせたＴ溝とＴ突起とを、適度な指の力によって、ガタツキ無く中央に位置決めしながら、しっかりと好ましく嵌め合うことができる。
微小突起の半円形の半径は、ブロックの規模によっても異なり、特に限定はされないが、例えば０．８ｍｍ〜１．２ｍｍ程度が好ましく、微小溝はそれに応じて適宜決定すればよい。
【００２３】
個々のブロックの寸法は、特に限定はされないが、連結部の機械的強度や支柱部材として組み立てた時の全体の剛性などを考慮すると、高さが１２ｍｍ〜１６ｍｍ程度、図３に現れる幅が１０ｍｍ〜１４ｍｍ程度、図８に現れている奥行が１８ｍｍ〜２２ｍｍ程度が好ましい寸法の一例である。
組み立てに用いられるブロックの個数は、決定したブロックの高さと、シリンジの針の長さに応じて使用者が適宜決定すればよい。
【００２４】
図２、図３、図６（ｂ）、図７、図８に示す態様では、最上段のブロック２１がシリンジ保持部１と一体的に構成されている。本明細書では、この最上段のブロック２１を、支柱部に属するブロックとして説明しているが、シリンジ保持部１に設けられた係合部とみなしてもよい。同様に、図９などに現れる固定部３に設けられた係合部（Ｔ突起、ストッパ−３ａ）を、固定部３に一体に設けられた最下段のブロックとみなしてもよい。
図８（ｂ）の態様では、中間のブロックが無く、最上段のブロック２１が固定部３に設けられた係合部と係合している。
各部の形状のデザインによっては、シリンジ保持部、支柱部、固定部の境界が明確でなくなる場合があるが、シリンジの保持に寄与する部分がシリンジ保持部であり、測定装置への固定に寄与する部分が固定部であり、それらの中間部が支柱部である。
【００２５】
固定部は、測定装置に対して固定し得るように構成されていればよい。例えば、万力のように測定装置を挟みこんで固定する構造、測定装置側にも固定部と係合し得る係合部を設けておいて連結する構造、支柱部の下部を単純に測定装置にはめ込む態様、支柱部の下面から内部に穴を設け、測定装置の突起をはめ込む態様などであってもよい。
図２、図３、図７〜図１０は、固定部の好ましい態様を示しており、図１１に示した測定装置の上面の一部の領域の凹凸面に沿って密着し得るように、その凹凸面を反転させた反転凹凸面を有する構造となっている。これによって、目的とする測定装置に安定して固定でき、かつ、当該点着用補助具と測定装置とが凹凸面を通じて位置決めされ、当該点着用補助具に保持されたシリンジを、点着用領域に対して正しい位置関係で容易に固定できる。
【００２６】
固定部の面積や厚さは、特に限定はされないが、図１０に示すように、裏面に補強用のリブを適宜設け、かつ、全体的に同様の板厚（リブ以外の部分の板厚として、例えば、１．５ｍｍ〜２．５ｍｍ程度）とすれば、丈夫で軽く、また、測定装置の上面の凹凸曲面が、固定部の上面にも同様に表れ、測定装置の上面に意図された清潔に保つための凹凸曲面のデザインを損なうことが無い。
【００２７】
図２、図３、図７〜図１０に示した固定部は、ネジやスナップ式にはめ込んで係合し得るツメ部や凹凸部によって、測定装置に固定してもよいが、図１０に示した裏面に設けた凹部３３（補強用のリブ３２によって囲まれた部分）などに粘着性のゲルシート（または、両面粘着性テープ、吸盤などでもよい）を設けておき、図９に示すように、簡単に着脱できるようにする構成が好ましい。
また、固定部の端縁部には、図９などに示すように、アーチ部３１を設けて空洞部分を端部に形成し、測定装置から該固定部を離脱させる際に、指を１〜２本入れて固定部を持ち上げることができるようにすることが好ましい。
【００２８】
シリンジ保持部、支柱部、固定部は、それぞれの機能に応じた材料で形成すればよい。好ましい材料としては、耐汚性、耐薬品性と、適度な機械的強度を持った樹脂材料や金属材料が挙げられ、シリンジ保持部、支柱部、固定部を全て同じ材料としてもよい。
【００２９】
当該点着用補助具を適用すべき測定装置は、試料液を滴下するための点着用領域を有し、該点着用領域に滴下された試料液の目的成分の濃度を測定し得るよう構成された装置であればよい。
試料液の目的成分の濃度を測定するとは、試料液に含まれる目的成分の量や割合を測定することのみならず、目的成分の有無だけを判定し単純に明示することをも含む操作である。
【００３０】
測定装置の外観は、図１１に好ましい一例として示したとおりであるが、これに限定はされず、意匠登録第１２２２９３１号公報などに示された公知のデザインであってもよいし、よりコンパクトなものであっても、検査室に据え付けられる多機能で大掛りな装置であってもよい。
【００３１】
試料液は、特に限定はされないが、血液、血液に試薬や調製が加えられた液体、測定装置のキャリブレーションに用いるための標準濃度試液などが代表的なものとして挙げられる。とりわけ、１滴の血液（全血）から目的とする含有成分の濃度を測定することは、診断や治療のためには重要である。また、測定装置自体の維持管理のためには、定期的に標準濃度試液を点着し、較正を行うことが重要である。
本発明は、そのような点着操作を簡単にし、適正な量の試料液を、適正な位置に滴下することを可能にする。
【００３２】
試料液が血液（または、血液に試薬や調製が加えられた液体）である場合、濃度を測定すべき含有成分としては、ブドウ糖（グルコース）、尿酸、乳酸、コレステロールなどが挙げられる。
【産業上の利用可能性】
【００３３】
本発明によって、従来の手作業のみによる点着操作の問題が解決され、作業者は、プランジャーを微量だけ推し進める操作だけに集中することができ、点着操作が容易になった。また、シリンジを回転させない好ましい構造によって、プランジャーを微量だけ推し進める操作も片手の指先だけで容易に達成し得るようになった。
【符号の説明】
【００３４】
Ａ    本発明の点着用補助具
１    シリンジ保持部
２    支柱部
３    固定部
Ｂ    点着用領域を有する測定装置
Ｂ１  点着用領域
Ｃ    シリンジ
【図１】
2015059921.tif 000003
【図２】
2015059921.tif 000004
【図３】
2015059921.tif 000005
【図４】
2015059921.tif 000006
【図５】
2015059921.tif 000007
【図６】
2015059921.tif 000008
【図７】
2015059921.tif 000009
【図８】
2015059921.tif 000010
【図９】
2015059921.tif 000011
【図１０】
2015059921.tif 000012
【図１１】
2015059921.tif 000013
【図１２】
2015059921.tif 000014